(57)【特許請求の範囲】
【請求項１】
複数本の編糸を一定の組成点において編組させると共に、当該組成点で生成される編組部分を、順次、組成点から延びる螺旋状経路上を強制移送せしめるべく、一定方向に回転し且つ一定方向に軸線移動する巻取軸であって外周面に螺旋状の鍔部を突設した巻取軸に当該鍔部間に挟持された状態で巻き取ることによって、螺旋状に編組された断面方形の編組紐であって、
編糸と交絡することなく編組紐の長手方向に延びる、編糸より高弾性の複数本の弾性糸を、編組紐の断面中心を通過して当該紐の内外周面に平行する基準面より当該紐の外周面側の編組層部分に、貫通状に配置して、この弾性糸の存在により、当該編組紐の断面形状が方形に保持されると共に当該外周面側の編組層部分の編組密度及び弾性力が該基準面より当該内周面側の編組部分と同等になるように構成したことを特徴とするグランドパッキンの構成材。
【請求項２】
複数本の弾性糸が、編組紐の断面において、編組紐の外周面と平行する並列状態で配置されていることを特徴とする、請求項１に記載するグランドパッキンの構成材。
【請求項３】
編組紐の断面において編組紐の外周面と平行する並列状態で配置されている弾性糸群が、当該外周面に直交する方向に複数段配置されていることを特徴とする、請求項２に記載するグランドパッキンの構成材。
【請求項４】
編組紐の断面形状が方形をなしており、その各角部に編糸と交絡することなく編組紐の長手方向に延びる芯糸が貫通状に配置されていることを特徴とする、請求項１、請求項２又は請求項３に記載するグランドパッキンの構成材。
【請求項５】
芯糸が編糸より高弾性のものであることを特徴とする、請求項１、請求項２、請求項３又は請求項４に記載するグランドパッキンの構成材。
【請求項６】
編組紐が、外径の異なる複数の巻取軸部分が軸線方向に縦列してなる巻取軸を使用して編組されたものであって、径の異なる螺旋状編組紐が連続してなるものであることを特徴とする、請求項１、請求項２、請求項３、請求項４又は請求項５に記載するグランドパッキンの構成材。
【請求項７】
編組紐が格子編み構造をなすものであることを特徴とする、請求項１、請求項２、請求項３、請求項４、請求項５又は請求項６に記載するグランドパッキンの構成材。
【発明の詳細な説明】
【０００１】
【発明の属する技術分野】
本発明は、編組パッキンであるグランドパッキンの構成材に関するものである。
【０００２】
【従来の技術】
グランドパッキンの構成材としては、一般に、図１９に示すような格子編み機１０１を使用して直線状に格子編み編組された編組紐１０８が周知である。かかる格子編み機１０１によれば、基盤１０３に設けた編糸繰出器１０４…から編糸１４１…を組成点１０６へと導いた上、編糸繰出器１０４…を回行駆動して、編糸１４１…を所定の編糸経路上を移動しつつ相互に交絡させることにより、図１８に示す如く、断面正方形をなす編組紐１０８を直線状に格子編み編組することができる。なお、編組紐１０８は、組成点１０６の上方位置に設けられた巻取装置１０２により、組成点１０６から延びる直線状経路上を移送される。
【０００３】
而して、グランドパッキンは、このようにして得られた編組紐１０８を所定寸法に裁断した上、図１６に示す如く、螺旋状に変形させた状態でスタフィングボックスに装填されるか、或いは、所定寸法に裁断した編組紐１０８を環状に変形させたものを、図１７に示す如く、複数段積み重ねた状態でスタフィングボックスに充填される。
【０００４】
【発明が解決しようとする課題】
しかし、従来の編組紐１０８は、図１８（Ａ）に示す如く直線状に編組されたものであるから、図２０（Ａ）に示す如く螺旋状又は環状に変形させた場合、軸線方向において、基準面（編組紐１０８の断面中心を通過して内外周面１０８ｂ，１０８ｃに平行する面）Ｘ−Ｘより外周面１０８ｂ側においては引張力Ｆが作用すると共に内周面１０８ｃ側には圧縮力ｆが作用することになる。したがって、内周面１０８ｃが図２０（Ａ）に示す如く凹凸状に変形して、相手軸部材との接触が不均一となり、更に上記した引張力Ｆ及び圧縮力ｆの作用により各断面における密度分布が不均一となる上、断面形状が図２０（Ｂ）に示す如く台形状に変形する。また、グランドパッキンの構成材として使用される編組紐１０８にあっては、図１９に鎖線図示する如く、編糸１４１より弾性に優れる弾性糸１５１…を編糸１４１と交絡しない状態で組成点１０６に供給して、編糸１４１…による編組層中に弾性糸１５１…を貫通状に配置しておくことにより、グランドパッキンの弾性（復元性）を向上させるようにすることも試みられているが、かかる場合にも、基準面Ｘ−Ｘより内周面１０８ｃ側に配置された弾性糸１５１は、上記した圧縮力ｆにより、図２０（Ａ）に示す如く、波状に変形して、弾性向上機能を効果的に発揮することができないし、密度分布の更なる不均一度を増大させることになる。
【０００５】
これらのことから、従来の編組紐１０８を使用してグランドパッキンを構成した場合には、シール面への接触が不均一となる等により良好なシール機能を発揮させることができない。また、十分な弾性（復元性）を確保することができず、パッキン押さえによる締付面圧を必要以上に高くする必要が生じたり、締付面圧を増大させる所謂増し締め作業を頻繁を行う必要がある。
【０００６】
かかる問題を解決するために、従来からも、適宜の金型を使用して、編組紐１０８を螺旋状又は環状に加圧成形して、断面形状及び内周面形状を適正に修正することが行われている。例えば、螺旋状のグランドパッキンＰについては、図２１（Ａ）に示す如く、所定寸法の裁断した編組紐１０８を円柱状の芯型１１０に螺旋状金属板であるスペーサ１１１を介在させた状態で螺旋状に巻きつけ、これら１０８，１１０，１１１を有底円筒状の外型１１２内にセットした上で、同図（Ｂ）に示す如く、円筒状の押し型１１３により加圧成形することによって、断面形状が適正な方形をなし且つ内周面を含む表面が凹凸のない平滑面をなす螺旋紐形状に修正するようにしている。
【０００７】
しかし、このような金型成形によっては、グランドパッキンの外観形態を修正できるにすぎず、密度の不均一や弾性糸１５１の変形を修正することができない。すなわち、編組紐１０８を芯型１１０に螺旋状に巻きつけた場合、その断面形状は、上記した如く、外周面１０８ｂ側に引張力Ｆが作用すると共に内周面１０８ｃ側に圧縮力ｆが作用することから、内周面１０８ｃ方向に拡がる台形形状に変形する（図２０（Ｂ），図２１（Ａ）参照）。そして、かかる変形状態では、圧縮力ｆが作用する内周面１０８ｃ側の密度が引張力Ｆが作用する外周面１０８ｂ側より高くなる。したがって、このような台形形状の断面を、図２１（Ｂ）に示す如く、方形状に加圧，修正した場合、内周面１０８ｃ側の密度は更に高くなり、外周面１０８ｂ側との間の密度差は加圧成形前より更に大きくなる。また、外観形態上、内周面１０８ｃの凹凸も加圧成形によって平滑面に修正されるが、内周面１０８ｃ側の密度分布は均一とならず、編組紐１０８（螺旋状パッキンＰ）の長手方向における内周面１０８ｃ側の密度分布は更に不均一となる。すなわち、内周面１０８ｃの凸部と凹部とでは加圧修正による密度変化が異なり、例えば凸部については加圧修正により密度が更に高くなることから、内周面１０８ｃ側においては更に密度分布が不均一となる。さらに、上記した基準面Ｘ−Ｘより内周面側の弾性糸１５１の変形（図２０（Ａ））は上記した加圧成形によっては修正されず、変形度を却って増大させることになる。
【０００８】
したがって、金型成形（加圧成形）を施すことによっては、グランドパッキンにおける上記した機能上の問題を解決することはできない。しかも、このような金型成形を編組紐１０８に施すことは、グランドパッキンを安価且つ容易に提供し得ず、グランドパッキンの製作経済上、極めて不利である。
【０００９】
本発明は、このような問題を生じることなく、グランドパッキンとして螺旋状又は環状をなす形態で好適に使用でき、極めて優れたシール機能を発揮させることができるグランドパッキンの構成材を提供することを目的とするものである。
【００１０】
【課題を解決するための手段】
本発明は、上記の目的を達成すべく、複数本の編糸を一定の組成点において編組させると共に、当該組成点で生成される編組部分を、順次、組成点から延びる螺旋状経路上を強制移送せしめるべく、一定方向に回転し且つ一定方向に軸線移動する巻取軸であって外周面に螺旋状の鍔部を突設した巻取軸に当該鍔部間に挟持された状態で巻き取ることによって、螺旋状に編組された断面方形の編組紐であって、編糸と交絡することなく編組紐の長手方向に延びる、編糸より高弾性の複数本の弾性糸を、編組紐の断面中心を通過して当該紐の内外周面に平行する基準面より当該紐の外周面側の編組層部分(以下「外周面側層部分」という)に、貫通状に配置して、この弾性糸の存在により、当該編組紐の断面形状が方形に保持されると共に当該外周面側の編組層部分の編組密度及び弾性力が該基準面より当該内周面側の編組部分と同等になるように構成したことを特徴とするグランドパッキンの構成材を提案する。
【００１１】
かかるグランドパッキンの構成材たる螺旋状の編組紐にあっては、複数本の弾性糸を、編組紐の断面において、編組紐の外周面と平行する並列状態で配置しておくことが好ましく、更に編組紐の断面において編組紐の外周面と平行する並列状態にある弾性糸群を、編組紐の内外周面に直交する方向に複数段配置しておくことも可能であり、その配置本数も適宜に設定できる。
【００１２】
また、編組紐が断面正方形の格子編み構造をなすものである場合等、編組紐の断面形状が方形をなしている場合には、その各角部に編糸と交絡することなく編組紐の長手方向に延びる芯糸を貫通状に配置しておくことができる。この場合において、芯糸として、弾性糸と同様に、編糸より高弾性のものを使用しておくことができる。
【００１３】
また、編組紐を径の異なる螺旋状編組紐が連続してなるものとしておくことができる。このようにしておけば、一本の編組紐から異なる軸径に適用できる複数種のグランドパッキンを採取することができる。ところで、グランドパッキンは、所定の軸径範囲毎に、異なる断面積のものが使用される。例えば、軸径が大きくなるに従い、使用されるグランドパッキンの断面積も大きくなる。したがって、上記螺旋状編組紐は、その径に応じた断面積のものとしておくことが好ましい。
【００１４】
ところで、螺旋状の編組紐は、組成点からの巻き取り方法ないし巻き取り装置を工夫することにより、公知の編組機（格子編み機等）を使用して、容易に得ることができる。すなわち、複数本の編糸を一定の組成点において編組させると共に、組成点で生成される編組部分を、順次、組成点から延びる螺旋状経路上を強制移送せしめるべく、一定方向に回転し且つ一定方向に軸線移動する巻取軸に巻き取ることによって、螺旋状の編組紐を得るようにするのである。この場合、組成点には、編糸に加えて、編糸と交絡させない弾性糸を供給する（必要に応じて、更に芯糸を供給する）。また、外径の異なる複数の巻取軸部分が軸線方向に縦列する巻取軸を使用することにより、断面積及び径の異なる複数の螺旋状編組紐部分が連続する編組紐を得ることが可能となる。また、編組紐を高精度の断面形状をなすものとするためには、巻取軸の外周面に螺旋状の鍔部を突設して、編組紐が鍔部間に挟持された状態で巻き取られるようにしておくことが好ましい。この場合、鍔部が複数部分に分割されており、巻取軸の外周面に着脱自在であることが好ましい。特に、使用する編組機が断面方形の編組紐を得るものである場合には、巻取軸を断面方形の鍔部を有する角ネジ形状をなすものとしておくことが好ましい。
【００１５】
【発明の実施の形態】
以下、本発明の実施の形態を図１〜図１７に基づいて具体的に説明する。
【００１６】
この実施の形態における本発明に係るグランドパッキンの構成材は、図１、図２、図６、図８及び図９（Ａ）に示す如く、複数本の編糸４１…を使用して螺旋状に編組された断面正方形の編組紐８であって、その断面中心８０を通過して内外周面８ｂ，８ｃに平行する基準面Ｘ−Ｘより外周面８ｂ側の編組層部分（外周側層部分）８Ａに、編糸４１と交絡することなく編組紐８の長手方向に延びる複数本の弾性糸５１ｃ…を貫通状に配置すると共に、外周側層部分８Ａの角部及び基準面Ｘ−Ｘより内周面８ｃ側の編組層部分（内周側層部分）８Ｂの角部に、編糸４１と交絡することなく編組紐８の長手方向に延びる４本の芯糸５１ａ，５１ａ及び５１ｂ，５１ｂを貫通状に配置したものである。
【００１７】
この編組紐８は、例えば、図３〜図５に示す如く、公知の編組装置１と特殊な巻取装置２とからなる編組機により製造される。
【００１８】
すなわち、編組装置１は、図３〜図５に示す如く、装置基盤３上に複数の編糸繰出器４…（一部のみ図示）を移動自在に設けると共に複数の芯糸繰出器５ａ…（一部のみ図示）及び弾性糸繰出器５ｂ…（一部のみ図示）を固定し、各編糸繰出器４から繰り出した編糸４１並びに各芯糸繰出器５ａから繰り出した芯糸５１ａ，５１ｂ及び弾性糸繰出器５ｂから繰り出した弾性糸５１ｃを基盤３の直上方位に設定した組成点６に導いて、基盤３に内装した駆動機構（図示せず）により編糸繰出器４…を、編糸４１…を所定の編糸経路７…上を交互に交差するように移動せしめるべく、回行移動させることにより、編糸４１…による編組層８Ａ，８Ｂの一定位置に各芯糸５１ａ，５１ｂ及び弾性糸５１ｃが編糸４１…と交絡することなく配置された断面正方形の編組紐８を得るように構成されたものであり、冒頭で述べた一般的な格子編み機（巻取装置を除く）１０１と同様の構成，機能を有するものである。ところで、かかる格子編み機１０１によって得られる編組紐８の断面形状は、一般に、編糸経路数Ｍないし編糸本数Ｎによって決定され、両者Ｍ，Ｎ間にはＮ＝２Ｍ2＋２Ｍ−４の関係があるが、この例では、Ｍ＝４，Ｎ＝３６として、図６に示す如く、３６本の編糸４１…（一部のみ図示）が第１〜第４編糸経路７ａ，７ｂ，７ｃ，７ｄ上を移動することにより、組成点６において断面正方形の編組部分８ａを順次形成して、当該編組部分８ａが連続してなる編組紐８を得るようにしてある。また、各芯糸５１ａ，５１ｂは、図６に示す如く、編組紐８の角部を構成する第１及び第４編糸経路７ａ，７ｄの各コーナ部の空隙を通過するように、芯糸繰出器５ａから組成点６へと導かれている。ところで、Ｍ＝４とした場合、外側編糸経路７ａ，７ｂ，７ｃ，７ｄの交絡部間には、図６に示す如く、基準面Ｘ−Ｘより外周面８ｂ側において３つの外周面側空隙８ｄ…と２つの基準面側空隙８ｅ…とが形成されるが、この例では、３本の弾性糸５１ｃ…を、外周面側空隙８ｄ…を通過するように弾性糸繰出器５ｂ…から組成点６へと導くことによって、外周側層部分８Ａにおいて外周面８ｂと平行する並列状態で配置させている。
【００１９】
編糸４１…としては、編組紐８（グランドパッキン）の用途，使用条件に応じて同種のもの又は異種のものを任意に選択することができ、例えば、アラミド繊維，ポリテトラフルオロエチレン（ＰＴＦＥ）繊維，炭素繊維，炭化繊維等の有機，無機繊維からなるものや膨張黒鉛製のもの（膨張黒鉛シートを細幅（例えば、５ｍｍ以下）の帯状に裁断したものを複数枚重ね合わせ、その表面をアラミド繊維等でニット編み又は袋編み被覆してなる糸）等を使用することができる。また、弾性糸５１ｃとしては、ガラス繊維，炭素繊維（編糸４１として弾性の低いピッチ系の炭素繊維を使用した場合），セラミック繊維等の有機，無機繊維からなるものやゴム糸等のように、編糸４１より弾性に優れたもの（材質の異なる複数種の編糸４１…を使用する場合には、最も弾性に優れる編糸４１より弾性に優れたもの）が使用される。また、芯糸５１ａ，５１ｂは、編組紐８の角部形状を維持するために使用するものであるが、必要に応じて、弾性糸５１ｃと同様に高弾性を有するものを使用することができる。この例では、編糸４１…を全て同質のものとし、芯糸５１ａ，５１ｂとして弾性糸５１ｃと同質の高弾性糸を使用している。
【００２０】
巻取装置２は、図３〜図５に示す如く、断面が一様の円形をなす巻取軸９と、巻取軸９を回転駆動させる回転機構１０と、巻取軸９を軸線方向に移動（軸線移動）させる送り機構１１とを具備する。
【００２１】
回転機構１０は、図３及び図４に示す如く、巻取軸９の両端部に着脱自在な連結器１２，１２を介して同心状に連結された一対の支軸１３，１３と、支軸１３，１３を回転自在に支持する軸受体１４，１４と、一方の支軸１３にモータ出力軸を連結して、巻取軸９を一定方向（矢印方向）に回転駆動させる変速機付きの駆動モータ１５とを具備する。送り機構１１は、図３及び図４に示す如く、編組装置１の上方位において装置フレーム１６に水平に軸受支持１７，１７されたネジ軸１８と、ネジ軸１８に螺合された一対の雌ネジ筒１９，１９と、ネジ軸１８を正逆転駆動させる変速機付きの送りモータ２０とを具備して、送りモータ２０によりネジ軸１８を正逆転駆動することにより、両雌ネジ筒１９，１９を所定の間隔を隔てた状態で軸線方向に螺送させるようになっている。
【００２２】
巻取軸９は、図３及び図４に示す如く、軸受体１４，１４を連結体２１，２１を介して雌ネジ筒１９，１９に連結固定することによって、外周面９ａ上に組成点６が位置する水平状態で回転可能且つ軸線方向移動可能に支持されている。巻取軸９と組成点６との相対位置関係は、図５及び図６に示す如く、巻取軸９の外周面９ａにおける巻取軸９の回転により上昇移動する部分９ｂ（図８参照）の適所であって組成点６における編組作用を妨げない個所（この例では、巻取軸９の中心を通過する水平面上ないしその近傍の個所）に、組成点６で編組されつつある編組部分８ａの一側面（編組紐８の内周面８ｃを形成する面）が接触するように設定されている。なお、軸受体１４と雌ネジ筒１９との上下間隔は、連結体２１を油圧シリンダ等の上下伸縮構造のものにすること又は連結体２１に軸受体１４又は雌ネジ筒１９を昇降可能に連結しておくこと等によって、任意に変更できるようになっており、軸受体１４と雌ネジ筒１９との上下間隔を変更することによって、編糸繰り出し部から組成点６までの距離Ｈ（図３（Ａ）参照）を編組条件に応じて適正に調整しうるようになっている。また、巻取軸９の外周面９ａには、編組紐８を確実に巻き取るべく、編組紐８の内周面８ｃとの間に十分な摩擦係合力が生じるような工夫が施されている。例えば、外周面９ａに微細な突起，針を突設しておくか、高摩擦材をコーティングしておく。
【００２３】
したがって、巻取軸９は、上記した組成点６との相対位置関係を保持した状態で、ネジ軸１８を正転駆動させることにより軸線方向に水平移動される。すなわち、ネジ軸１８を正転駆動させることにより、巻取軸９は、雌ネジ筒１９，１９（及び各連結器１２，支軸１３，軸受体１４，連結体２１）を介して、組成点６が巻取軸９の始端部に位置する巻取り開始位置（図３（Ａ）に示す位置）から組成点６が巻取軸９の終端部に位置する巻取り終了位置（図４（Ｃ）に示す位置）へと一定速度で水平移動（軸線方向移動）される。なお、ネジ軸１８を逆転駆動させることにより、巻取軸９を巻取り開始位置へと復帰させることができる。
【００２４】
なお、巻取軸９の回転速度（巻取り速度）及び軸線方向移動速度（送り速度）は、各モータ１５，２０の変速機により、編糸経路７…上における編糸４１…の移動速度等に応じて適宜に設定することができる。
【００２５】
而して、編組紐８は、上記した編組装置１及び巻取装置２からなる編組機を使用して、次のように編組される。
【００２６】
巻取軸９を巻取り開始位置に位置させた状態で、巻取軸９を回転駆動させると共に編組装置１による編組作用を開始させる（図３（Ａ））。更に、ネジ軸１８を正転駆動させて、巻取軸９を巻取り開始位置から巻取り終了位置へと一定速度で移動させると、組成点６において編組部分８ａが順次形成されて、それが順次組成点６から延びる螺旋状経路上を強制移送せしめられるべく巻取軸９に巻き取られていく（図３（Ｂ），図５）。すなわち、図７に示す如く、編組部分８ａの連続的な形成により得られる編組紐８が、巻取軸９の外周面９ａに螺旋状をなして巻き取られていく。そして、巻取軸９が巻取り終了位置に位置して、編組紐８が巻取軸９の始端部から終端部に亘る部分に螺旋状に巻き取られると（図４（Ｃ）と、各装置１，２を停止した上、連結器１２，１２を操作して、巻取軸９を巻取装置２から取り外す（図４（Ｄ）。しかる後、巻取軸９に巻き取られた編組紐８から巻取軸９を引き抜くことにより、図１に示す如き螺旋状の編組紐８が得られる。
【００２７】
このように、組成点６から生成する編組紐８を巻取軸９に螺旋状に巻取りながら、編組部分８ａを順次生成させるようにすると、組成点６においては、常に、編組部分８ａが巻取軸９の外周面９ａに一致する内径を有する円弧形状をなした形態で形成されることになる。すなわち、編糸４１は内外周面８ｂ，８ｃで交互に折り返しつつ他の編糸４１…と交絡されるが、巻取軸９による編糸４１の送り速度が編組紐８ないし編組部分８ａにおける外周面８ｂ側と内周面８ｃ側とで異なることから、図８に示す如く、外周面８ｂ側の折り返しピッチＰｂは内周面８ｃ側の折り返しピッチＰｃより大きくなる。その結果、組成点６においては円弧形状をなす編組部分８ａが順次形成されていき、巻取軸９の外周面９ａ上を螺旋状に延びる編組紐８が生成されることになるのである。したがって、内外周面８ｂ，８ｃが歪となるようなことがなく、平滑な湾曲面となる。また、編組紐８の長手方向に貫通する芯糸５１ａ，５１ｂ及び弾性糸５１ｃも、図８に示す如く、波形に変形することなく、内外周面８ｂ，８ｃに沿って螺旋状に延びることになる。
【００２８】
ところで、外周面８ｂ側では、上記した如く折り返しピッチＰｂが大きいため、内周面８ｃ側に比して編目が粗くなる。したがって、編糸４１に作用するテンションの影響によって、断面形状が、図９（Ｂ）に示す如く、外周面８ｂ側が狭窄された台形形状となり易い。
【００２９】
しかし、外周側層部分８Ａには、内周側層部分８Ｂには存在しない弾性糸５１ｃ…が配置されていることから、この弾性糸５１ｃ…の存在により外周面８ｂ側の狭窄が阻止されることになる。その結果、断面形状が、図９（Ａ）に示す如く、略完全な方形（正方形）となる。また、編目が粗くなる外周側層部分８Ａの編組密度及び弾性力（復元力）も、弾性糸５１ｃ…の存在により、内周側層部分８Ｂと同等となり、編組紐８全体の復元力の向上及び密度分布の均一化が図られる。
【００３０】
而して、かかる編組紐８を適当寸法に裁断することによって、冒頭で述べた如き金型成形を行うことなく、図１６又は図１７に示すグランドパッキンＰを容易に得ることができる。このように螺旋状に編組された編組紐８から得たグランドパッキンＰにあっては、各断面の密度分布，形状が一定であること、内外周面８ｂ，８ｃが平滑な湾曲面をなしていること、及び弾性材である弾性糸５１ｃ（及び芯糸５１ａ，５１ｂ）が内外周面８ｂ，８ｃに平行し且つ変形していない適正な湾曲線状に配置されていることから、パッキン押さえによる締付面圧を必要以上に高くすることなく、スタフィングボックス内に密に充填され得て、良好なシール機能が発揮される。また、弾性材である弾性糸５１ｃ（及び芯糸５１ａ，５１ｂ）の存在によりパッキンＰの弾性機能（復元力）が効果的に増大されて、頻繁な増し締め作業を行う必要がなく、長期に亘ってメンテナンスフリーとなる。
【００３１】
ところで、編組紐８の内径寸法は、巻取軸９の外周面９ａの径（軸径）によって決定される。したがって、巻取軸９の軸径は、編組紐８を構成材として使用しようとするグランドパッキンＰの内径に応じて設定しておく必要がある。但し、螺旋状に編組された編組紐８は、その内径寸法を変更すべく、変形（縮径変形又は拡径変形）させても、その変形がある程度の範囲で行われる限り、上記した機能，効果が損なわれることがない。したがって、編組紐８は、このような範囲内において、内径の異なる複数種のグランドパッキンについて適正に汎用させることができる。
【００３２】
なお、本発明は上記した実施の形態に限定されるものではなく、本発明の基本原理を逸脱しない範囲において、適宜に改良，変更することができる。
【００３３】
例えば、弾性糸５１ｃの本数及び外周側層部分８Ａにおける配置は任意であり、図１０に示す如く、外周面側空隙８ｄ…のみならず、基準面側空隙８ｅ…にも配置することができる。すなわち、編組紐８の断面において外周面８ｂと平行する並列状態で配置されている弾性糸群５１ｃ…を、当該外周面８ｂに直交する方向に複数段配置するようにすることができる。また、芯糸５１ａ，５１ｂは必要に応じて使用すればよく、例えば、図１１に示す如く、芯糸５１ａ，５１ｂを設けないようにすることも可能である。また、図６及び図１０に示すものにおいて、芯糸５１ａ，５１ｂとして弾性糸５１ｃと同様の高弾性糸を使用しておくこともできる。
【００３５】
また、図１２〜図１４に示す如く、巻取軸９の外周面９ａに螺旋状の鍔部２２を突設して、編組紐８が鍔部２２，２２間に挟持された状態で巻き取られるようにしておくことができる。このようにすれば、編組紐８の巻取り時における断面形状の変形を効果的に防止し得て、断面一様の編組紐８をより確実に編組することができる。特に、上記した格子編み編組紐８のような角打組物（断面方形の編組構造物）を生成する場合にあっては、図１２及び図１４に示す如く、鍔部２２の断面形状を方形として、巻取軸９を角ネジ形状をなすものとしておくことにより、適正な方形断面をなす編組紐８を確実に得ることができる。このような鍔部２２を設ける場合には、巻き取った編組紐８の巻取軸９からの離脱を容易に行うために、鍔部２２を、図１２〜図１４に示す如く、複数部分２２ａ…に分割して、これらの部分２２ａ…を巻取軸９の外周面９ａにボルト２２ｂ…等により着脱自在に固定するように工夫しておくことが好ましい。
【００３６】
また、巻取軸９を、図１５に例示する如く、外径の異なる複数の巻取軸部分９１，９２，９３が軸線方向に縦列するものに構成しておいてもよい。このようにすれば、径Ｄ1，Ｄ2，Ｄ3（Ｄ1＜Ｄ2＜Ｄ3）の異なる螺旋状編組紐８１，８２，８２を連続的に製造することができ、つまり径の異なる螺旋状編組紐８１，８２，８３が連続してなる編組紐８を得ることができ、一本の編組紐８から径の異なる複数種のグランドパッキンを採取することができる。この場合、太さが一定長毎に段階的に変化する編組糸を使用する等により、螺旋状編組紐８１，８２，８３がその径に応じた断面積のものに編組されるようにしておくことが好ましい。なお、このような巻取軸９を使用する場合においても、各巻取軸部分９１，９２，９３の外周面に前記した鍔部２２に相当するものを突設しておくことが可能である。
【００３７】
【発明の効果】
以上の説明から容易に理解されるように、本発明のグランドパッキンの構成材によれば、冒頭で述べた問題を生じることなく、良好なシール機能を発揮することができ且つ高い復元力により長期に亘ってメンテナンスフリーとなる極めて実用的なグランドパッキンを得ることができる。
【図面の簡単な説明】
【図１】本発明に係るグランドパッキンの構成材である螺旋状の編組紐を示す一部縦断の斜視図である。
【図２】図１の要部拡大図である。
【図３】本発明に係る構成材を製造するための編組機の一例を示す側面図である。
【図４】図３と異なる作用状態を示す図３相当の側面図である。
【図５】図３のＶ−Ｖ線に沿う縦断正面図である。
【図６】図５のVI−VI線に沿う断面図であり、組成点における編糸経路をモデル化して示すものである。
【図７】図３（Ｂ）の要部の拡大詳細図であり、編組紐が巻取軸に巻き取られた状態を示す側面図である。
【図８】図５の要部拡大図である。
【図９】（Ａ）図は編組紐の断面図（断面は図８のIX−IX線に沿う）であり、（Ｂ）図は弾性糸を有しない場合の編組形態を示す（Ａ）図相当の断面図である。
【図１０】編組紐の変形例を示したもので、図６相当の断面図である。
【図１１】編組紐の他の変形例を示したもので、図６相当の断面図である。
【図１２】巻取軸の変形例を示す一部切欠の側面図である。
【図１３】図１２のXIII−XIII線に沿う縦断正面図である。
【図１４】図１２に示す巻取軸に編組紐を巻き取らせた状態を示す一部縦断側面図である。
【図１５】編組紐の更に他の変形例を示しており、巻取軸に編組紐を巻き取らせた状態を示す一部縦断側面図である。
【図１６】グランドパッキンの使用形態を示す斜視図である。
【図１７】図１６と異なるグランドパッキンの使用形態を示す斜視図である。
【図１８】（Ａ）図は従来の編組紐の要部を示す正面図であり、（Ｂ）図は（Ａ）図のXVIII−XVIII線断面図である。
【図１９】従来の編組紐を製造する編組機の一例を示す正面図である。
【図２０】（Ａ）図は従来の編組紐を湾曲させた状態を示す要部の正面図であり、（Ｂ）図は（Ａ）図のXX−XX線断面図である。
【図２１】従来の編組紐を螺旋状のグランドパッキンに金型成形する場合の工程を示す縦断側面図である。
【符号の説明】
６…組成点、８，８１，８２，８２…編組紐、８ａ…編組部分、８ｂ…編組紐の外周面、８ｃ…編組紐の内周面、８Ａ…外周側層部分（基準面より編組紐の外周面側の編組層部分）、８Ｂ…内周側層部分（基準面より編組紐の内周面側の編組層部分）、９…巻取軸、４１…編糸、５１ａ，５１ｂ，…芯糸、５１ｃ…弾性糸、８０…断面中心、Ｐ…グランドパッキン、Ｘ…基準面。
【図１】
0003944361.tif 000002
【図２】
0003944361.tif 000003
【図３】
0003944361.tif 000004
【図４】
0003944361.tif 000005
【図５】
0003944361.tif 000006
【図６】
0003944361.tif 000007
【図７】
0003944361.tif 000008
【図８】
0003944361.tif 000009
【図９】
0003944361.tif 000010
【図１０】
0003944361.tif 000011
【図１１】
0003944361.tif 000012
【図１２】
0003944361.tif 000013
【図１３】
0003944361.tif 000014
【図１４】
0003944361.tif 000015
【図１５】
0003944361.tif 000016
【図１６】
0003944361.tif 000017
【図１７】
0003944361.tif 000018
【図１８】
0003944361.tif 000019
【図１９】
0003944361.tif 000020
【図２０】
0003944361.tif 000021
【図２１】
0003944361.tif 000022